(57)【要約】【課題】ネジの頭部がネジの設置面から突出していない状態でも、溝穴の形状が壊れてしまったネジを回すことができるネジ回し具を提供する。【解決手段】プライヤの両あごの先端に錐形体が形成される。この錐形体は、両あごが閉じた状態で先が細く、外斜面に歯が形成される。すなわち、錐形体の先部から基部へ放射状に複数の溝として縦歯が形成される。また、錐形体の先部から基部にかけて複数が配列され縦歯と直交する短い溝として、横歯が形成される。【選択図】図１
2013233600.tif 000002
【特許請求の範囲】
【請求項１】
ネジの頭部に設けられた溝穴の形状が壊れてしまった前記ネジを回すための道具であって、取手を挟持することで両あごが開くプライヤ様の本体と、前記両あごの先端に形成され、両あごが閉じた状態で先が細い錐形体と、この円錐体の外斜面に形成され、前記錐形体の先部から基部へ放射状に複数の溝として形成された縦歯と、前記錐形体の先部から基部にかけて複数が配列され前記縦歯と直交する短い溝として形成された横歯と、を有することを特徴とするネジ回し具。
【請求項２】
前記錐形体は、円錐形体であり、側面に投影された前記先部の角度が６０度であることを特徴とするネジ回し具。
【発明の詳細な説明】
【技術分野】
【０００１】
この発明は、ネジの頭部に設けられた溝穴の形状が壊れてしまった前記ネジを回すための道具の構造に関する。
【背景技術】
【０００２】
ネジの頭部には、ドライバーなどの道具を使ってネジを回すために溝穴が設けられる。この溝穴は、何度もドライバーなどの道具を使うことで、形状が壊れて、道具が空滑りしてしまうことがある。これをネジが”ナメル”等ということもある。また、ネジが錆びたりすることにより、溝穴の形状が壊れてしまうことがある。そうなると、通常のドライバーなどの道具を使ってネジを回すことができなくなる。
【０００３】
下記非特許文献１には、このようなネジでも回すことができるように、ペンチの両あごの先端内側に、鋭い細かな歯を設けて、ネジの頭部の外側を挟むことができるようにした道具が、商品名「ネジザウルス」として販売されている。
また、下記特許文献１には、特殊な管を取り除くために、取手を挟持することで両あごが開くプライヤ様の本体の前記両あごの先端外側に歯を設けて、この管の中へ、プライヤーの両あごを挿入しプライヤーを挟持して両あごを開くことで、管を取り除く技術が開示されている。
【先行技術文献】
【特許文献】
【０００４】
【特許文献１】実登３１５７３４９
【非特許文献】
【０００５】
【非特許文献１】http://www.engineer.jp/products/nipper/np04/item_04/pz-58
【発明の概要】
【発明が解決しようとする課題】
【０００６】
しかしながら、上記非特許文献１の道具は、ネジの頭部がネジの設置面から突出していなければならず、例えば、少なくとも鍋ネジのようであればよいが、皿ネジのように、頭部が必ずしも突出しない場合には、使用できない。また、ネジが錆び、頭部が錆びてしまい、そのため、十分に頭部が突出しておらず、頭部の外側を挟むことができない場合にも、使用できない。
【０００７】
また、特許文献１の道具は、雄ネジの頭部を回すことには使用できない。
この発明は、以上の問題点を解決するために、ネジの頭部がネジの設置面から突出していない状態でも、溝穴の形状が壊れてしまったネジを回すことができるネジ回し具を提供することを目的とする。
【課題を解決するための手段】
【０００８】
以上の課題を解決するために、第一発明は、ネジの頭部に設けられた溝穴の形状が壊れてしまった前記ネジを回すための道具であって、取手を挟持することで両あごが開くプライヤ様の本体と、前記両あごの先端に形成され、両あごが閉じた状態で先が細い錐形体と、この円錐体の外斜面に形成され、前記錐形体の先部から基部へ放射状に複数の溝として形成された縦歯と、前記錐形体の先部から基部にかけて複数が配列され前記縦歯と直交する短い溝として形成された横歯と、を有することを特徴とするネジ回し具である。
【０００９】
第二発明は、さらに、前記錐形体は、円錐形体であり、側面に投影された前記先部の角度が６０度であることを特徴とするネジ回し具である。
【発明の効果】
【００１０】
第一、又は第二発明によれば、ネジの頭部に設けられ形状が壊れて、周囲形状がやや丸くなってしまった溝穴へ、ネジ回し具の閉じた両あごの先端に形成された錐形体の先を押込み、ネジ回し具の本体であるプライヤの取手を挟持して両あごを開く。すると、錐形体が開いて、その外斜面に形成された縦歯と横歯が溝穴の内周へ食い込む。その状態で、ネジ回し具を回せば、特に、溝穴と縦歯との摩擦により、回転力がネジに伝わり、ネジを回すことができる。また、溝穴と横歯との摩擦により、錐形体が溝穴から外れてしまうことが防止される。
【００１１】
ネジの頭部がネジの設置面から突出していない状態でも、形状が壊れてしまった溝穴自体は残っているので、ネジ回し具によれば、ネジを回すことができる。
第二発明によれば、さらに、錐形体は円錐形体であることから、周囲形状がやや丸くなってしまった溝穴への歯の食い込みが、周囲方向の多くの部分で起きることが期待でき、大きな回転力を得られる。また、錐形体の側面に投影された先部の角度が６０度であることから、形状が壊れてしまった溝穴の角度とフィットしやすく、大きな回転力を得られる。
【図面の簡単な説明】
【００１２】
【図１】この発明の一実施形態を示す図で、（Ａ）は全体側面図、（Ｂ）は（Ａ）のＢ部拡大図、（Ｃ）は（Ｂ）の正面図、（Ｄ）は（Ｂ）の平面図、（Ｅ）は（Ｂ）のＥ−Ｅ断面図である。
【図２】図１の道具を使用する使用状態を一部透視して示す拡大図で、（Ａ）は皿ネジに使用する状態の側面図、（Ｂ）は鍋ネジに使用する状態の側面図、（Ｃ）は（Ｂ）の要部の水平断面図である。
【発明を実施するための形態】
【００１３】
この発明の実施形態を、図１及び図２に示す。
この実施形態のネジ回し具１は、例えば、図２（Ａ）(Ｂ)（Ｃ）に示しように、ネジ３の頭部５に設けられた十字の溝穴７の形状が壊れてしまった前記ネジ３を回すための道具である。十字の溝穴７は、通常は十字のドライバーの先端に嵌合して、ドライバーを回して、これによりネジ３を回すためのものである。しかし、ネジ３が設置面９に固く設置されてしまった場合などに、何度もドライバーを強く使うことで、溝穴７の形状が壊れて、十字形状からやや丸く（図中８）なり、そうなるとドライバーが空滑りしてしまう。
【００１４】
図１に示すように、このネジ回し具１は、本体１１（図１（Ａ））として、取手２を挟持することで両あご１３が開くプライヤ様の器具を採用する。本体１１が有する細い両あご１３の先端に、先が細い錐形体として円錐形体１５が形成される。両あご１３が閉じた状態で、円錐形体１５となるが、両あご１３が開くと、円錐形体１５は、先の中央から縦に半分に割れて、開く（図２）。
【００１５】
円錐形体１５は、側面に投影された先部の角度、すなわち図１（Ｂ）（Ｃ）における先部の角度が６０度である。また、円錐形体１５の先端は、やや丸みを帯びる。そして大きいネジに対応するときには、丸みを大きく、小さいネジに対応するときには、丸みを小さくする。
この円錐形体の外斜面に歯（２１，２３）が形成される。すなわち、円錐形体１５の先部１７から基部１９へ、放射状（図１（Ｄ））に延びる複数の溝として、縦歯２１が形成される。放射状とすることから、各溝の幅は、先部１７で狭く、基部１９で広い。各縦歯２１の断面は三角形である（図１（Ｅ））。
また、錐形体の先部１７から基部１９にかけて、複数が配列され、縦歯２１と直交する短い溝として、横歯２３が形成される。この横歯２３は、円錐形体１５が縦に分割する分割線２５である母線の両脇に沿って、直線的に配列される。分割線２５は２本になるので、横歯２３は合計４列となる。
【００１６】
「ネジ回し具１の使い方」
この実施形態にかかるネジ回し具１は、以下のように使用する。
すなわち、図１（Ａ）に示すネジ回し具１の本体１１を逆さまにして、図２に示すように、本体１１の先端をネジ３へ向ける。そして、ネジ３の頭部５に設けられ形状が壊れて、周囲形状がやや丸くなってしまった溝穴８へ、ネジ回し具１の閉じた両あご１３の先端に形成された円錐形体１５の先を、押込む。
そして、ネジ回し具１の本体１１であるプライヤの取手２を挟持し閉じると、両あご１３が開く。すると、円錐形体１５が開いて、その外斜面に形成された縦歯２１と横歯２３が溝穴８の内周へ食い込む。その状態で、ネジ回し具１を回せば、特に、やや丸くなった溝穴８と縦歯２１との摩擦により、回転力がネジ３に伝わり、ネジ３を回すことができる。また、溝穴８と横歯２３との摩擦により、錐形体が溝穴８から外れてしまうことが防止される。よって、ネジ３を回しやすい。
【００１７】
「実施形態の効果」
この実施形態にかかるネジ回し具１は、ネジ３の溝穴８を使用するものであるから、ネジ３の頭部５がネジ３の設置面９から突出していない状態でも、形状が壊れてしまった溝穴８自体は、通常は、残っているので、ネジ３を回すことができる。
【００１８】
さらに、錐形体は円錐形体１５であることから、周囲形状がやや丸くなってしまった溝穴８への歯の食い込みが、周囲方向の多くの部分で起きることが期待でき、大きな回転力を得られる。また、錐形体の側面に投影された先部１７の角度が６０度であることから、形状が壊れてしまった溝穴８の角度とフィットしやすく、大きな回転力を得られる。
【００１９】
「他の実施形態」
以上の実施形態では、壊れる前の溝穴７は、十字形状であったが、他の実施形態では、溝穴７の形状は問わない。
例えば、マイナスドライバーを使用するための「マイナス」と呼ばれている一文字の溝穴でもよい。また、プラスマイナス穴と呼ばれ、十字穴の１辺部が長くなって「マイナス」と同じ形になり、プラスとマイナスの両方のドライバで扱える溝穴でも良い。さらに、六角穴（ヘクス・ソケット）と呼ばれ、断面が正六角形のドライブ棒を差し込むための溝穴でもよい。 また、四角穴（スクエア・ソケット）と呼ばれ、断面が正方形のドライブ棒を差し込むための溝穴でも良い。
【００２０】
以上の実施形態では、ネジ回し具１の本体１１として、先が細い、例えば、ラジオペンチ等とも呼ばれるタイプのプライヤにならったものを用いたが、他の実施形態では、プライヤの種類を問わない。通常のペンチ、ニッパー等と呼ばれるプライヤでも構わない。取手を挟持することで両あごが開くプライヤ様の本体であればよい。
以上の実施形態では、設置面９の雌ネジ穴へ直接にねじ込んで設置するタイプのネジ３を例に説明したが、他の実施形態では、他の種類のネジ、例えば、木ネジ、ビス、ボルトなどと呼ばれるネジであっても、実施することができる。
【００２１】
以上の実施形態では、錐形体は円錐形体１５であったが、他の実施形態では、円錐形体１５以外の多角錐形体でもよい。例えば、正四角錐体とし、四本の稜線のうち対向する２本の稜線を通る面で、半分に分割されるものとしても良い。
また、菱形角錐体とし、やはり四本の稜線のうち対向する２本の稜線を通る面で、半分に分割されるものとしても良い。この場合、菱形のうち長い対角線の方向に、溝穴７の十字形状の辺部の方向を、一致させれば、菱形角錐体と溝穴７がフィットしやすい。同様に、菱形のうち長い対角線の方向に、溝穴７の「マイナス」形状の方向を、一致させれば、菱形角錐体と溝穴７がフィットしやすい。
【符号の説明】
【００２２】
１…ネジ回し具、３…ネジ、５…頭部、７、８…溝穴、９…設置面、１１…本体、１３…両あご、１５…円錐形体、１７…先部、１９…基部、２１…縦歯、２３…横歯、２５…分割線。
【図１】
2013233600.tif 000003
【図２】
2013233600.tif 000004